【事件の表示】
　特願２０１３−２０７５０３号「照明装置」拒絶査定不服審判事件〔平成２７年　４月１６日出願公開、特開２０１５−　７２７７９号、請求項の数（５）〕について、次のとおり審決する。
【結　論】
　原査定を取り消す。
　本願の発明は、特許すべきものとする。
【理　由】
第１　手続の経緯
　本願は、平成２５年１０月２日の出願であって、平成２９年３月１７日付けで拒絶理由通知がされ、同年５月２９日に意見書及び手続補正書が提出され、同年８月１７日付けで拒絶査定（以下「原査定」という。）がされ、これに対し、同年１１月２２日に拒絶査定不服審判の請求がされると同時に手続補正書が提出されたものである。
第２　原査定の概要
　原査定の概要は次のとおりである。
　本願の請求項１に係る発明は以下の引用文献１−２に基いて、請求項２−４に係る発明は以下の引用文献１−３に基いて、請求項５に係る発明は以下の引用文献１−４に基いて、その発明の属する技術の分野における通常の知識を有する者（以下「当業者」という。）が容易に発明できたものであるから、特許法第２９条第２項の規定により特許を受けることができない。
引用文献一覧
１.特開２０１２−２２１７７０号公報
２.特開２０１１−２５８５１５号公報
３.特開２００４−１１１１０４号公報
４.特開２０１３−０８４６３５号公報
第３　本願発明
　本願の請求項１−５に係る発明（以下それぞれ「本願発明１」−「本願発明５」という。）は、平成２９年１１月２２日付けの手続補正で補正された特許請求の範囲の請求項１−５に記載された事項により特定される以下のとおりのものである。
「【請求項１】
　第１色温度でそれぞれ発光する複数個の第１発光ダイオードと、
　前記第１色温度よりも低い第２色温度でそれぞれ発光し、前記第１発光ダイオードよりも個数が少ない複数個の第２発光ダイオードと、
　前記第１発光ダイオード及び前記第２発光ダイオードにそれぞれ駆動電流を供給して、前記第１発光ダイオード及び前記第２発光ダイオードを点灯させる点灯回路と、
　外部から入力される調光信号に応じて複数個の前記第１発光ダイオードからの全発光量が変化し、且つ、前記調光信号に関わらず複数個の前記第２発光ダイオードからの全発光量が一定になるように、前記第１発光ダイオード及び前記第２発光ダイオードの発光状態を制御する制御回路とを備え、
　前記制御回路は、全点灯状態において、前記点灯回路から前記第１発光ダイオードに供給される駆動電流と、前記点灯回路から前記第２発光ダイオードに供給される駆動電流が同じになるように、前記点灯回路を制御し、
　調光下限において前記点灯回路から全ての前記第１発光ダイオードに供給される駆動電流がゼロになるように、前記制御回路が前記点灯回路を制御し、
　前記調光信号に関わらず前記第２発光ダイオードの駆動電流が一定値になるように、前記制御回路が前記点灯回路を制御する
ことを特徴とする照明装置。
【請求項２】
　前記第１発光ダイオードの個数が、前記第２発光ダイオードの個数の２倍以上であることを特徴とする請求項１記載の照明装置。
【請求項３】
　前記第１発光ダイオードの個数が、前記第２発光ダイオードの個数の３倍以上であることを特徴とする請求項１記載の照明装置。
【請求項４】
　前記制御回路は、前記調光信号の調光率が低下するにつれて複数個の前記第１発光ダイオードからの全発光量が低下するように、前記点灯回路が前記第１発光ダイオードに供給する駆動電流を低下させることを特徴とする請求項１乃至３の何れか１項に記載の照明装置。
【請求項５】
　前記制御回路は、前記調光信号の調光率が低下するにつれて複数個の前記第１発光ダイオードからの全発光量が低下するように、点灯させる前記第１発光ダイオードの個数を減少させることを特徴とする請求項１乃至３の何れか１項に記載の照明装置。」
第４　引用文献の記載事項等
１．引用文献１の記載事項等
（１）引用文献１の記載事項
　原査定の拒絶の理由に引用された引用文献１には、次の記載がある（下線は当審で付した。以下同様。）。
（１ａ）「【００１１】
　実施の形態１．
　図１は、本実施の形態に係る照明装置１０の構成を示す回路図である。
【００１２】
　図１において、
照明装置１０は、ＬＥＤ点灯装置１０ａと、第１ＬＥＤ２５と、第２ＬＥＤ２６を備える。
第１ＬＥＤ２５の例として
温白色ＬＥＤが４つ直列接続されている。
第２ＬＥＤ２６の例として
橙色ＬＥＤが４つ直列接続されている。
【００１３】
　
ＬＥＤ点灯装置１０ａは、ダイオードブリッジ１１と、昇圧回路１５と、第１定電流出力回路１７ａと、第２定電流出力回路１７ｂと、調光制御部３１と、調光コントローラ３２を備える。
・・・
【００１７】
　
調光制御部３１は、調光コントローラ３２から出力される調光信号を入力し、入力した調光信号に基づいて、第１定電流出力回路１７ａ、第２定電流出力回路１７ｂの出力電流を調整するための出力制御信号を、第１制御部２１、第２制御部２２に出力する。
調光制御部３１は、
第１ＬＥＤ２５及び第２ＬＥＤ２６の明るさ及び色温度を、白熱電球の明るさ及び色温度に近い特性で制御する。
【００１８】
　調光制御部３１に組み込まれているアルゴリズムでは、色温度の計算手法として、相関色温度の簡便な求め方を用いる。
・・・
【００２０】
　
色度座標ｘ，ｙから相関色温度Ｔを求める近似式として、次式が提案されている（ＭｃＣａｍｙ，１９９２）。
　
Ｔ＝−４３７ｎ
３
＋３６０１ｎ
２
−６８６１ｎ＋５５１４．３１
ここで、
　
ｎ＝（ｘ−０．３３２０）／（ｙ−０．１８５８）
である。
【００２１】
　上記の式により、第１ＬＥＤ２５及び第２ＬＥＤ２６のデータシートに記載されている色度座標ｘ，ｙの値と、第１ＬＥＤ２５及び第２ＬＥＤ２６の明るさ比率から容易に色温度を算出することができる。例えば、
第１ＬＥＤ２５の色度座標（ｘ，ｙ）＝（０．３９０３，０．３８２６）、第２ＬＥＤ２６の色度座標（ｘ，ｙ）＝（０．５６２５，０．４３）
・・・
【００２８】
　図４に、表４として、
温白色ＬＥＤのみの明るさを可変とした
【００２９】
　表４は、本実施の形態で
第１ＬＥＤ２５として使用する温白色ＬＥＤを可変出力とし
第２ＬＥＤ２６として使用する橙色ＬＥＤを固定出力とした
【００３０】
　
本実施の形態において、ＬＥＤ点灯装置１０ａの調光制御部３１は、調光コントローラ３２から調光度Ｌ［％］（５≦Ｌ≦１００）を指令する調光信号を受信すると、第１ＬＥＤ２５が調光度Ｌに応じた光出力で点灯するように、第１定電流出力回路１７ａを制御する。このとき、調光制御部３１は、第２ＬＥＤ２６が調光度Ｌに関係なく一定の光出力で点灯するように、第２定電流出力回路１７ｂを制御する。
本実施の形態では、調光制御部３１が、色温度に違和感を与えないようにするため、明るさ５％付近の色温度が白熱電球と同じになるように第１ＬＥＤ２５及び第２ＬＥＤ２６の明るさの制御を行っている。
【００３１】
　図１０を見ると明らかなように、本実施の形態によれば、第１ＬＥＤ２５の明るさを増減させるだけで、暗くなると同時に色温度も低くなる特性を実現できる。しかも、本実施の形態では、照明装置１０（合成光）の明るさが暗くなるにしたがって照明装置１０の色温度の変化率が大きくなっている。このため、白熱電球（白熱灯）からＬＥＤへと切り替えた際の違和感を抑えることができる。
【００３２】
　なお、本実施の形態では、ＬＥＤ点灯装置１０ａが調光コントローラ３２を内蔵しているが、ＬＥＤ点灯装置１０ａの外部に調光コントローラ３２が備えられてもよい。」
（１ｂ）引用文献１には以下の図が示されている。
　　　　
　　　
（２）引用文献１に記載された発明
（２−１）摘記事項（１ａ）及び摘記事項（１ｂ）の図から以下の事項が認定できる。
ア．照明装置１０は、ＬＥＤ点灯装置１０ａと、第１ＬＥＤ２５と、第２ＬＥＤ２６とを備えること（段落【００１２】、図１）。
イ．第１ＬＥＤ２５として温白色ＬＥＤが４つ直列接続されており、第２ＬＥＤ２６として橙色ＬＥＤが４つ直列接続されていること（段落【００１２】、図１）。
ウ．ＬＥＤ点灯装置１０ａは、ダイオードブリッジ１１、昇圧回路１５、第１定電流出力回路１７ａ、第２定電流出力回路１７ｂ、調光制御部３１及び調光コントローラ３２を備えること（段落【００１３】、図１）。
エ．調光コントローラ３２はＬＥＤ点灯装置１０ａの外部に備えられてもよいものであること（段落【００３２】）。
オ．調光制御部３１は、第１ＬＥＤ２５及び第２ＬＥＤ２６の明るさ及び色
温度を、白熱電球の明るさ及び色温度に近い特性で制御するものであって、調光コントローラ３２から入力される調光信号における調光度Ｌ［％］（５≦Ｌ≦１００）に応じた光出力で可変出力の第１ＬＥＤ２５が点灯するように第１定電流出力回路１７ａの出力電流を制御し、固定出力の第２ＬＥＤ２６が調光信号における調光度Ｌに関係なく一定の光出力で点灯するように第２定電流出力回路１７ｂの出力電流を制御すること（段落【００１７】，【００２８】−【００３０】、図４，１０）。
カ．調光制御部３１は、調光度Ｌが上限の１００％のとき、第１ＬＥＤ２５
の光出力を１０００にし、第２ＬＥＤ２６の光出力を一定の４０にしていること（図４）。
キ．調光制御部３１は、色温度に違和感を与えないようにするため、明るさ
５％付近の色温度が白熱電球と同じになるように第１ＬＥＤ２５及び第２ＬＥＤ２６の明るさの制御を行うこと（段落【００３０】、図１０）。
ク．調光制御部３１は、調光度Ｌが下限の５％のとき、１ＬＥＤ２５の光出
力を１２にし、第２ＬＥＤ２６の光出力を一定の４０にしていること（図４）。
（２−２）段落【００２０】に記載された「色度座標ｘ，ｙから相関色温度Ｔを求める近似式」と、段落【００２１】に記載された「第１ＬＥＤ２５の色度座標（ｘ，ｙ）＝（０．３９０３，０．３８２６）、第２ＬＥＤ２６の色度座標（ｘ，ｙ）＝（０．５６２５，０．４３）」から色温度を算出すると以下の事項が認定できる。
ケ．第１ＬＥＤ２５の色温度は３７８６Ｋであり、第２ＬＥＤ２６の色温度は１８７９Ｋであること。
（２−３）したがって、これらを整理すると、上記引用文献１には次の発明（以下「引用発明」という。）が記載されていると認められる。
「照明装置１０は、ＬＥＤ点灯装置１０ａと、第１ＬＥＤ２５と、第２ＬＥＤ２６とを備えるものであって、
　前記第１ＬＥＤ２５として温白色ＬＥＤが４つ直列接続されており、
　前記第２ＬＥＤ２６として橙色ＬＥＤが４つ直列接続されており、
　前記第１ＬＥＤ２５の色温度は３７８６Ｋであり、
　前記第２ＬＥＤ２６の色温度は１８７９Ｋであり、
　前記ＬＥＤ点灯装置１０ａは、ダイオードブリッジ１１、昇圧回路１５、第１定電流出力回路１７ａ、第２定電流出力回路１７ｂ、調光制御部３１及び調光コントローラ３２を備え、
　前記調光コントローラ３２は前記ＬＥＤ点灯装置１０ａの外部に備えられてもよいものであり、
　前記調光制御部３１は、前記第１ＬＥＤ２５及び前記第２ＬＥＤ２６の明るさ及び色温度を、白熱電球の明るさ及び色温度に近い特性で制御するものであって、前記調光コントローラ３２から入力される調光信号における調光度Ｌ［％］（５≦Ｌ≦１００）に応じた光出力で可変出力の前記第１ＬＥＤ２５が点灯するように前記第１定電流出力回路１７ａの出力電流を制御し、固定出力の前記第２ＬＥＤ２６が前記調光信号における前記調光度Ｌに関係なく一定の光出力で点灯するように前記第２定電流出力回路１７ｂの出力電流を制御し、
　前記調光制御部３１は、前記調光度Ｌが上限の１００％のとき、前記第１ＬＥＤ２５の光出力を１０００にし、前記第２ＬＥＤ２６の光出力を一定の４０にし、
　前記調光制御部３１は、色温度に違和感を与えないようにするため、明るさ５％付近の色温度が白熱電球と同じになるように前記第１ＬＥＤ２５及び前記第２ＬＥＤ２６の明るさの制御を行うものであって、前記調光度Ｌが下限の５％のとき、前記第１ＬＥＤ２５の光出力を１２にし、前記第２ＬＥＤ２６の光出力を一定の４０にしている、
照明装置１０。」
２．引用文献３の記載事項等
（１）引用文献３の記載事項
　原査定の拒絶の理由に引用された引用文献３には、次の記載がある。
（３ａ）「【０００８】
【発明の実施の形態】
実施の形態１．
図１はこの発明の実施形態１を示す
ＬＥＤ点灯装置
図５は電流変化をさせた場合の、調光度と発光色との関係を示す図
【０００９】
図１において、１は商用電源、２は直流電源であり、ダイオードブリッジ３、平滑コンデンサ４及びインピーダンス素子５からなっている。６はインバータ回路であり、スイッチング素子７ａ及び７ｂからなり、ここではスイッチング素子７ａ及び７ｂにＭＯＳＦＥＴを使用している。８は、インバータ回路６を駆動する制御回路、９は直流カットコンデンサ、１０はインダクタ、
１１は、第１の発光手段である白色ＬＥＤ１１ａの直列回路が逆並列に接続された白色ＬＥＤアレイ、１２は、白色ＬＥＤとは異なる例えば有色の第２の発光手段である電球色ＬＥＤ１２ａの直列回路からなる。電球色ＬＥＤアレイ
１４は、
商用電源１から供給される電力を位相制御して調光させる位相制御式調光器
【００１０】
次に動作について図１〜図５により説明する。
商用電源１からの交流電源は、ダイオードブリッジ３によって全波整流され、平滑コンデンサ４によって平滑化され、直流電圧源となる。インピーダンス素子５は突入電流抑制用のものであり、インダクタまたは抵抗等が用いられる。
インバータ回路６内で、ＭＯＳＦＥＴ７ａ、７ｂは制御回路８の駆動信号によって交互にＯＮ／ＯＦＦし、直流電源回路２の直流出力を高周波に変換する。
インバータ回路６からの高周波電流はインダクタ１０によって制限され、白色ＬＥＤアレイ１１に投入される。従って、白色ＬＥＤアレイ１１において、それぞれの白色ＬＥＤ１１ａは半波整流された高周波電流で点灯されることになる。また、直流電源回路２からの直流出力は、制御抵抗１３によって電流を制限され、電球色ＬＥＤアレイ１２に印加され、電球色ＬＥＤアレイ１２が点灯される。
【００１１】
図２は、位相制御式調光器１４によって切られる商用電源１の波形を示すものである。図は一例として位相角９０度付近のものを示したが、通常０〜１８０度まで制御される。制御回路８は、
この位相角に応じた位相制御式調光器１４のい出力により
白色ＬＥＤアレイ１１に通電される電流が減少する。
位相制御式調光器１４の位相角が増えると白色ＬＥＤアレイ１１は調光され、明るさは暗くなっていくことになる。
また、
位相制御式調光器１４の位相角が９０度を超えると
電球色ＬＥＤアレイ１２へ通電される電流が減少することにより、調光され、明るさは暗くなっていくことになる。
【００１２】
図３は、上記の、位相角と各ＬＥＤアレイに流れる電流を示すものであり、
白色ＬＥＤアレイ１１に流れる実効電流をｉｗ１
電球色ＬＥＤアレイ１２に流れる平均電流をｉｙ１とする。
ｉｗ１は位相各に対して単調減少し
ｉｗ１は位相各に対して単調減少し
・・・
【００１４】
このような構成において、図３のような電流変化をさせた場合の、調光度と発光色との関係は図５に示すように、調光度が明るい白色、調光する（暗くする）と電球色となる。」
（３ｂ）引用文献３には以下の図が示されている。
（２）引用文献３に記載された技術的事項
（２−１）摘記事項（３ａ）及び摘記事項（３ｂ）の図から以下の事項が認定できる。
ア．ＬＥＤ点灯装置は、白色ＬＥＤアレイ１１、電球色ＬＥＤアレイ１２及び位相式制御調光器１４を備えること（図１）。
イ．白色ＬＥＤアレイ１１は複数個の白色ＬＥＤ１１ａの直列回路を逆並列に接続したものであり、電球色ＬＥＤアレイ１２は複数個の電球色ＬＥＤ１２ａの直列回路からなること（段落【０００９】、図１）。
ウ．商用電源１から供給される電力を位相式制御調光器１４で位相制御することにより、白色ＬＥＤアレイ１１に流れる実効電流ｉｗ１及び電球色ＬＥＤアレイ１２に流れる実効電流ｉｗ２を制御することで調光度と発光色を変化させること（段落【０００８】，【００１１】、図３，５）。
エ．前記位相式制御調光器１４の位相角に対して実効電流ｉｗ１を単調減少させてゼロにすること（段落【００１２】、図３）。
（２−２）したがって、これらを整理すると、上記引用文献３には次の技術的事項が記載されていると認められる。
「ＬＥＤ点灯装置は、白色ＬＥＤアレイ１１、電球色ＬＥＤアレイ１２及び位相式制御調光器１４を備え、
　前記白色ＬＥＤアレイ１１は複数個の白色ＬＥＤ１１ａの直列回路を逆並列に接続したものであり、前記電球色ＬＥＤアレイ１２は複数個の電球色ＬＥＤ１２ａの直列回路からなり、
　商用電源１から供給される電力を前記位相式制御調光器１４で位相制御することにより、前記白色ＬＥＤアレイ１１に流れる実効電流ｉｗ１及び前記電球色ＬＥＤアレイ１２に流れる実効電流ｉｗ２を制御することで調光度と発光色を変化させ、
　前記位相式制御調光器１４の位相角に対して前記実効電流ｉｗ１を単調減少させてゼロにする。」
第５　対比・判断
１．本願発明１について
（１）対比
　本願発明１と引用発明とを対比する。
ア．引用発明における「第１ＬＥＤ２５」、「第２ＬＥＤ２６」、「調光制御部３１」、「照明装置１０」は、それぞれ本願発明１における「第１発光ダイオード」、「第２発光ダイオード」、「制御回路」、「照明装置」に相当する。
イ．引用発明における「第１ＬＥＤ２５の色温度」である「３７８６Ｋ」は、本願発明１の「第１色温度」に相当する。そして引用発明における「第２ＬＥＤ２６の色温度」である「１８７９Ｋ」は、上記「３７８６Ｋ」より低い色温度であることから、本願発明１の「第１色温度よりも低い第２色温度」に相当する。
ウ．引用発明における「第１ＬＥＤ２５」は、「４つ直列接続されて」おり、「それぞれ発光する複数個」のものといえるから、上記「ア」，「イ」をも踏まえると、本願発明１の「第１色温度でそれぞれ発光する複数個の第１発光ダイオード」に相当するものといえる。
エ．引用発明における「第２ＬＥＤ２６」は「４つ直列接続されて」おり、「それぞれ発光」する「複数個」のものといえるから、かかる「第２ＬＥＤ２６」と本願発明１の「第１色温度よりも低い第２色温度でそれぞれ発光し、前記第１発光ダイオードよりも個数が少ない複数個の第２発光ダイオード」とは、上記「ア」，「イ」をも踏まえると、「第１色温度よりも低い第２色温度でそれぞれ発光する複数個の第２発光ダイオード」の限度で共通するものといえる。
オ．引用発明における「ダイオードブリッジ１１と、昇圧回路１５と、第１定電流出力回路１７ａと、第２定電流出力回路１７ｂ」は、「第１ＬＥＤ２５」及び「第２ＬＥＤ２６」にそれぞれ駆動電流を供給して、「第１ＬＥＤ２５」及び「第２ＬＥＤ２６」を点灯させる回路を形成することが明らかであることから、本願発明１の「前記第１発光ダイオード及び前記第２発光ダイオードにそれぞれ駆動電流を供給して、前記第１発光ダイオード及び前記第２発光ダイオードを点灯させる点灯回路」に相当するものといえる。
カ．引用発明における「調光コントローラ３２」は「ＬＥＤ点灯装置１０ａの外部に備えられ」て「調光信号」を「調光制御部３１」に「入力」するものであるから、引用発明における「前記調光コントローラ３２から入力される調光信号」は、本願発明１の「外部から入力される調光信号」に相当する。
キ．引用発明における「調光制御部３１」の「前記調光コントローラ３２から入力される調光信号における調光度Ｌ［％］（５≦Ｌ≦１００）に応じた光出力で可変出力の前記第１ＬＥＤ２５が点灯するように前記第１定電流出力回路１７ａの出力電流を制御し、固定出力の前記第２ＬＥＤ２６が前記調光度Ｌに関係なく一定の光出力で点灯するように前記第２定電流出力回路１７ｂの出力電流を制御」するという構成は、上記「ア」，「カ」をも踏まえると、本願発明１における「制御回路」の「外部から入力される調光信号に応じて複数個の前記第１発光ダイオードからの全発光量が変化し、且つ、前記調光信号に関わらず複数個の前記第２発光ダイオードからの全発光量が一定になるように、前記第１発光ダイオード及び前記第２発光ダイオードの発光状態を制御する」という構成に相当するものといえる。
ク．引用発明における「調光制御部３１」の「固定出力の前記第２ＬＥＤ２６が前記調光信号における前記調光度Ｌに関係なく一定の光出力で点灯するように前記第２定電流出力回路１７ｂの出力電流を制御」するという構成は、上記「ア」，「オ」をも踏まえると、本願発明１における「制御回路」の「調光信号に関わらず前記第２発光ダイオードの駆動電流が一定値になるように、前記制御回路が前記点灯回路を制御する」という構成に相当するものといえる。
　したがって、本願発明１と引用発明との間には、次の一致点、相違点があるといえる。
（一致点）
「第１色温度でそれぞれ発光する複数個の第１発光ダイオードと、
　前記第１色温度よりも低い第２色温度でそれぞれ発光する複数個の第２発光ダイオードと、
　前記第１発光ダイオード及び前記第２発光ダイオードにそれぞれ駆動電流を供給して、前記第１発光ダイオード及び前記第２発光ダイオードを点灯させる点灯回路と、
　外部から入力される調光信号に応じて複数個の前記第１発光ダイオードからの全発光量が変化し、且つ、前記調光信号に関わらず複数個の前記第２発光ダイオードからの全発光量が一定になるように、前記第１発光ダイオード及び前記第２発光ダイオードの発光状態を制御する制御回路とを備え、
　前記調光信号に関わらず前記第２発光ダイオードの駆動電流が一定値になるように、前記制御回路が前記点灯回路を制御する照明装置。」
（相違点１）「第１発光ダイオード」及び「第２発光ダイオード」の個数の関係について、本願発明１では「前記第１発光ダイオードよりも個数が少ない複数個の第２発光ダイオード」であるのに対し、引用発明では「第１発光ダイオード」と「第２発光ダイオード」はともに「４つ」で同じである点。
（相違点２）本願発明１は「前記制御回路は、全点灯状態において、前記点灯回路から前記第１発光ダイオードに供給される駆動電流と、前記点灯回路から前記第２発光ダイオードに供給される駆動電流が同じになるように、前記点灯回路を制御し」という事項を備えるのに対し、引用発明は「前記調光制御部３１は、前記調光度Ｌが上限の１００％のとき、前記第１ＬＥＤ２５の光出力を１０００にし、前記第２ＬＥＤ２６の光出力を一定の４０にし」という事項を備える点。
（相違点３）本願発明１は「調光下限において前記点灯回路から全ての前記第１発光ダイオードに供給される駆動電流がゼロになるように、前記制御回路が前記点灯回路を制御し」という事項を備えるのに対し、引用発明は「前記調光制御部３１は、色温度に違和感を与えないようにするため、明るさ５％付近の色温度が白熱電球と同じになるように前記第１ＬＥＤ２５及び前記第２ＬＥＤ２６の明るさの制御を行うものであって、前記調光度Ｌが下限の５％のとき、前記第１ＬＥＤ２５の光出力を１２にし、前記第２ＬＥＤ２６の光出力を一定の４０にしている」という事項を備える点。
（２）相違点についての判断
　事案に鑑み、まず相違点３について検討する。
　ここで、原査定の判断は「引用文献３には、位相角が９０度を超えたある範囲（調光下限）において白色ＬＥＤアレイ１１（第１発光ダイオード）に供給される電流ｉｗ１（駆動電流）がゼロになるように、制御する照明装置が記載されている（段落０００４、０００９−００１３、図１−４、等参照。）。引用発明において、幅広い色温度に調光できるように、引用文献３に記載された構成を参酌して、調光下限において全ての前記第１発光ダイオードに供給される駆動電流がゼロになるように制御することは、当業者が容易に想到し得る事項である。」（平成２９年３月１７日付け拒絶理由通知における「・請求項３、４」についての「・備考」参照）というものであるので、以下検討する。
  引用文献３には、上記「第４　２．（２）（２−２）」で述べた技術的事項が記載されている。
　ここで引用文献３に記載された技術的事項と本願発明１とを対比すると、前者の「ＬＥＤ点灯装置」は、後者の「照明装置」に相当し、また前者の白色ＬＥＤアレイ１１における「複数個の白色ＬＥＤ１１ａ」は、後者の「第１色温度でそれぞれ発光する複数個の第１発光ダイオード」に相当する。さらに、光の分野において電球色の色温度は白色の色温度より低いことは技術常識であることを鑑みるに、前者の電球色ＬＥＤアレイ１２における「複数個の電球色ＬＥＤ１２ａ」は、後者の「前記第１色温度よりも低い第２色温度でそれぞれ発光」する「複数個の第２発光ダイオード」に相当するものといえる。
　したがって、引用文献３に記載された技術的事項は、
「照明装置は、白色ＬＥＤアレイ１１、電球色ＬＥＤアレイ１２及び位相式制御調光器１４を備え、
　前記白色ＬＥＤアレイ１１は第１色温度でそれぞれ発光する複数個の第１発光ダイオードの直列回路を逆並列に接続したものであり、前記電球色ＬＥＤアレイ１２は前記第１色温度よりも低い第２色温度でそれぞれ発光する複数個の第２発光ダイオードの直列回路からなり、
　商用電源１から供給される電力を前記位相式制御調光器１４で位相制御することにより、前記白色ＬＥＤアレイ１１に流れる実効電流ｉｗ１及び前記電球色ＬＥＤアレイ１２に流れる実効電流ｉｗ２を制御することで調光度と発光色を変化させ、
　前記位相式制御調光器１４の位相角に対して前記実効電流ｉｗ１を単調減少させてゼロにする。」ということになる。
　してみると、引用発明と引用文献３に記載された技術的事項は、第１色温度でそれぞれ発光する複数個の第１発光ダイオード及び前記第１色温度よりも低い第２色温度でそれぞれ発光する複数個の第２発光ダイオードとを備え、該第１発光ダイオード及び該第２発光ダイオードに供給する電流を制御することで明るさと色を変化させる点で共通する。
　しかしながら、引用発明は「前記第１発光ダイオード及び前記第２発光ダイオードの明るさ及び色温度を、白熱電球の明るさ及び色温度に近い特性で制御するもの」であって、あくまで「前記調光コントローラ３２から入力される調光信号における調光度Ｌ［％］（５≦Ｌ≦１００）に応じた光出力で可変出力の前記第１ＬＥＤ２５が点灯するように前記第１定電流出力回路１７ａの出力電流を制御」することを前提として「前記調光制御部３１は、色温度に違和感を与えないようにするため、明るさ５％付近の色温度が白熱電球と同じになるように前記第１ＬＥＤ２５及び前記第２ＬＥＤ２６の明るさの制御を行うものであって、前記調光度Ｌが下限の５％のとき、前記第１ＬＥＤ２５の光出力を１２にし、前記第２ＬＥＤ２６の光出力を一定の４０にしている」ものである。したがって、それに反して引用発明において引用文献３に記載された上記技術的事項を適用し、本願発明１のように「調光下限において前記点灯回路から全ての前記第１発光ダイオードに供給される駆動電流がゼロになるように、前記制御回路が前記点灯回路を制御」する構成とすることの動機付けが存在するということはできず、むしろ阻害要因があるというべきである。
　よって、相違点３に係る本願発明１の事項は、当業者であっても引用発明及び引用文献３に記載された技術的事項に基いて容易に発明できたものであるとはいえない。
　したがって、その他の相違点１−２について検討するまでもなく、本願発明１は、当業者であっても引用文献１−３に基いて容易に発明できたものとはいえない。
２．本願発明２−５について
　本願発明２−５は、本願発明１の発明特定事項を全て含み、さらに減縮したものであるから、本願発明１と同様に当業者であっても容易に発明できたものとはいえない。
第６　むすび
　以上のとおり、原査定の理由によっては、本願を拒絶することはできない。
　また、他に本願を拒絶すべき理由を発見しない。
　よって、結論のとおり審決する。